(57)【要約】【課題】構造が簡単でコンパクトであり揺動する浴槽も安定的に支持できる、移動可能な入浴装置を提供する。【解決手段】座位の姿勢で入浴できる揺動可能な入浴装置１であって、椅子２０を両側から挟むように側壁１１が設けられてなる浴槽１０と、前記浴槽１０を支持する、床面１５１に設置される基台３０と、前記浴槽１０と前記基台３０とに連結し前記浴槽１０を揺動させる揺動装置５０と、前記基台３０の後部に取付けられたキャスター７１と、前記浴槽１０の前側端部に設けられた前記浴槽１０の前側を持ち上げるための取っ手７５と、を備え、前記浴槽１０の前側を持ち上げると前記基台３０も一緒に持ち上がり、該入浴装置１を荷車の要領で移動させることができる。【選択図】図５
2019051303.tif 000002
【特許請求の範囲】
【請求項１】
座位の姿勢で入浴できる揺動可能な入浴装置であって、
椅子の両側面に板状体を設ける形で形成された浴槽と、
前記浴槽を支持する、床面に設置される基台と、
前記浴槽と前記基台とに連結し前記浴槽を揺動させる揺動手段と、
前記基台の後部に取付けられたキャスターと、
前記浴槽の前側端部に設けられた前記浴槽の前側を持ち上げるための取っ手と、
を備え、
前記浴槽の前側を持ち上げると前記基台も一緒に持ち上がり、該入浴装置を荷車の要領で移動させることが可能なことを特徴とする入浴装置。
【請求項２】
前記椅子は、着座部、背もたれ部、ヘッドレスト部及びフットレスト部を有し、
前記基台は、前記着座部及び背もたれ部の下方に位置し、
前記揺動手段は、前記基台に配設され、基台の前部と前記着座部の裏面後部とに連結する駆動シリンダと、前記基台の後部と前記浴槽の後側下部とを回動自在に連結する回動軸と、を有することを特徴とする請求項１に記載の入浴装置。
【請求項３】
前記浴槽は、起立させた状態で前記フットレスト部の底面が床面に接することを特徴とする請求項２に記載の入浴装置。
【請求項４】
さらに前記浴槽を水平状態としたとき床面に接し浴槽を支持するストッパー及び／又はスタンドを備えることを特徴とする請求項１から請求項３のいずれか１項に記載の入浴装置。
【請求項５】
さらに前記椅子を加温するヒータが装着されていることを特徴とする請求項１から請求項４のいずれか１項に記載の入浴装置。
【請求項６】
さらにスライド機構を介して前記浴槽に進退可能に取付けられた椅子を備え、
前記浴槽と一体化した前記椅子を第１椅子、前記進退可能な椅子を第２椅子としたとき、
前記第２椅子は、後退させたとき前記第１椅子の上に重なるように構成され、
前記第２椅子に入浴者を着座させた状態で後退させ、前記第２椅子を前記第１椅子の上に重ね合せた状態で入浴可能なことを特徴とする請求項１から請求項５のいずれか１項に記載の入浴装置。
【発明の詳細な説明】
【技術分野】
【０００１】
本発明は、座位の姿勢で入浴できる揺動式入浴装置に関する。
【背景技術】
【０００２】
家庭の一般的な浴槽は、入浴時、浴槽を跨ぐ必要があるため身体障害者や老人の中には一人で入浴できない人もいる。介助者の助けがあれば入浴も可能となるが、入浴者自身及び介助者も労力を要する。このため浴槽を跨ぐ必要がなく、椅子に座った姿勢で入浴させることができる入浴装置が開発されている（例えば特許文献１、２、３参照）。
【０００３】
特許文献１には、車椅子に載せた入浴者を入出位置に傾けた可動浴槽内に移送し、車椅子を保持した可動浴槽を略水平にし、湯を満たすことで入浴できる入浴装置が開示されている。
【０００４】
特許文献２には、車椅子の上に浴槽を取付けてなり、浴槽に背部と座台部と足台部を設け、さらに当該浴槽を車椅子上で揺動可能とした入浴可能な多目的車椅子（入浴装置）が開示されている。特許文献３にも特許文献２に類似の入浴可能な車椅子（入浴装置）が開示されている。
【０００５】
特許文献１〜３に記載の入浴装置は、いずれも座位の姿勢で入浴させることができるので入浴者自身及び介助者の負担が少ない。さらにいずれの入浴装置も椅子を倒した状態で入浴できるので入浴者はリラックスすることができ、さらに介助者も入浴者の身体を洗い易いなど介助し易い。
【先行技術文献】
【特許文献】
【０００６】
【特許文献１】特開２０１２−２３１９４７号公報
【特許文献２】特開平１１−１２８３０９号公報
【特許文献３】特開２０１１−２３５０８２号公報
【発明の概要】
【発明が解決しようとする課題】
【０００７】
特許文献１に記載の入浴装置は、入浴者を車椅子に載せた状態で入浴させることができるため入浴者自身及び介助者の負担が軽減される。また装置構造がしっかりとし、揺動する浴槽に対してもこれを安定的に支持することができる一方で、湯漏れ対策等も必要で構造が複雑となり、装置も大型化し製造コストが高くなる。
【０００８】
特許文献２及び特許文献３に記載の入浴装置は、装置構成は簡便であるが以下の課題がある。入浴装置は、車椅子を基台とし、その上に浴槽を取付けているため、入浴時においても浴槽は車椅子の上に載った状態である。浴槽が全く床面に接していない状態で浴槽を安定的に支持するためには、基台となる車椅子を堅固にする必要があり、浴槽が揺動する入浴装置にあってはなおさらである。このため特許文献２及び特許文献３に記載の入浴装置では、車椅子の部分が大型化し、結果、装置全体が大きくなる。
【０００９】
本発明の目的は、構造が簡単でコンパクトであり揺動する浴槽も安定的に支持できる、移動可能な入浴装置を提供することである。
【課題を解決するための手段】
【００１０】
本発明は、座位の姿勢で入浴できる揺動可能な入浴装置であって、椅子の両側面に板状体を設ける形で形成された浴槽と、前記浴槽を支持する、床面に設置される基台と、前記浴槽と前記基台とに連結し前記浴槽を揺動させる揺動手段と、前記基台の後部に取付けられたキャスターと、前記浴槽の前側端部に設けられた前記浴槽の前側を持ち上げるための取っ手と、を備え、前記浴槽の前側を持ち上げると前記基台も一緒に持ち上がり、該入浴装置を荷車の要領で移動させることが可能なことを特徴とする入浴装置である。
【００１１】
本発明の入浴装置において、前記椅子は、着座部、背もたれ部、ヘッドレスト部及びフットレスト部を有し、前記基台は、前記着座部及び背もたれ部の下方に位置し、前記揺動手段は、前記基台に配設され、基台の前部と前記着座部の裏面後部とに連結する駆動シリンダと、前記基台の後部と前記浴槽の後側下部とを回動自在に連結する回動軸と、を有することを特徴とする。
【００１２】
また本発明の入浴装置において、前記浴槽は、起立させた状態で前記フットレスト部の底面が床面に接することを特徴とする。
【００１３】
また本発明の入浴装置は、さらに前記浴槽を水平状態としたとき床面に接し浴槽を支持するストッパー及び／又はスタンドを備えることを特徴とする。
【００１４】
また本発明の入浴装置は、さらに前記椅子を加温するヒータが装着されていることを特徴とする。
【００１５】
また本発明の入浴装置は、さらにスライド機構を介して前記浴槽に進退可能に取付けられた椅子を備え、前記浴槽と一体化した前記椅子を第１椅子、前記進退可能な椅子を第２椅子としたとき、前記第２椅子は、後退させたとき前記第１椅子の上に重なるように構成され、前記第２椅子に入浴者を着座させた状態で後退させ、前記第２椅子を前記第１椅子の上に重ね合せた状態で入浴可能なことを特徴とする。
【発明の効果】
【００１６】
本発明によれば構造が簡単でコンパクトであり揺動する浴槽も安定的に支持できる、移動可能な入浴装置を提供することができる。また本発明によれば使い勝手のよい入浴装置を提供することができる。
【図面の簡単な説明】
【００１７】
【図１】本発明の第１実施形態の入浴装置１を前側上方から見た斜視図である。
【図２】図１の入浴装置１の起立状態の側面図である。
【図３】図１の入浴装置１の構成を説明するための起立状態の側面図である。
【図４】図１の入浴装置１の水平状態の側面図である。
【図５】図１の入浴装置１の構成を説明するための水平状態の側面図である。
【図６】図１の入浴装置１の背面図である。
【図７】図１の入浴装置１の移動時の状態を示す側面図である。
【図８】図１の入浴装置１で使用可能な排水受皿１００の斜視図である。
【図９】本発明の第２実施形態の入浴装置２を前側上方から見た斜視図である。
【図１０】図２の入浴装置２の構成を説明するための起立状態の側面図である。
【図１１】図２の入浴装置２の構成を説明するための起立状態の側面図である。
【図１２】図２の入浴装置２の水平状態の側面図である。
【発明を実施するための形態】
【００１８】
図１は、本発明の第１実施形態の入浴装置１を前側上方から見た斜視図である。図２は、入浴装置１の起立状態の側面図であり、図３は、入浴装置１の構成を説明するために浴槽１０の手前側の側壁１１を取り除いて見た起立状態の側面図である。図４は、入浴装置１の水平状態の側面図であり、図５は、入浴装置１の構成を説明するために浴槽１０の手前側の側壁１１を取り除いて見た水平状態の側面図である。図６は、入浴装置１の背面図、図７は、入浴装置１の移動時の状態を示す側面図である。なお、各図は、入浴装置１の形態、構成を説明するために必要に応じて部品を省略している。
【００１９】
本実施形態において、前面又は前側とは入浴者２０１が椅子２０に着座するために浴槽１０に入る方向であり、図２の側面視において左側を言う。後面、後側又は背面とは、前面又は前側とは反対方向であり、図２の側面視において右側を言う。
【００２０】
本実施形態において浴槽１０の起立状態とは、入浴者２０１が浴槽１０の椅子２０に着座するときの浴槽１０の姿勢であり（図２参照）、椅子２０のフットレスト部の底面２７が床面１５１に接した状態である。また浴槽１０の水平状態とは、入浴中の浴槽１０の姿勢であり、浴槽１０の斜辺１２が水平となった状態である（図４参照）。なお水平とは完全な水平のみならず実質的に水平と見なされる略水平を含む。
【００２１】
本発明の第１実施形態の入浴装置１は、浴槽１０が揺動可能であり、座位の姿勢で入浴できる入浴装置であって、浴槽１０、浴槽１０を支持する基台３０、浴槽１０を揺動させる揺動装置５０を備える。また入浴装置１は、荷車の要領で移動させることができる移動可能な入浴装置であり、そのためのキャスター７１と浴槽１０の前側を持ち上げるための取っ手７５を備える。
【００２２】
浴槽１０は、大略的には椅子２０の両側に側壁１１となる板状体を取付ける形で形成され、内部に湯を溜めることができる。椅子２０は、入浴者２０１が着座する着座部２１と、背もたれ部２３と、ヘッドレスト部２５と、フットレスト部２６と、着座部２１とフットレスト部２６との間を結ぶように設けられた連結部２９とを有する。連結部２９は、入浴者２０１の身長によってはレッグレストとして機能する。
【００２３】
側壁１１は、大略的には側面視において長方形を対角線で２分した略直角三角形を有する。側壁１１は、椅子２０を両側から挟むように前端がフットレスト部の前端２８と、上端が背もたれ部の上端２４と一致するように配置されている。なお本実施形態の浴槽１０は側面視において、側壁１１の前端は丸みを帯び、上端には前方に伸びる水平部、さらに後部下端は斜めに切り落とされている。
【００２４】
側壁１１の大きさは、側面視において椅子２０に着座した入浴者２０１の顔又は首から上を除いて身体全体を隠すことができる。本実施形態において、側壁１１の斜辺１２は直線状であるが湾曲していてもよい。側壁１１は、浴槽１０が水平状態で効率的に湯を溜めることができる形状が好ましく、製作が容易でデザイン性に優れるものがより好ましい。浴槽１０の背面には両側壁１１に繋がる壁１４が設けられている。
【００２５】
ヘッドレスト部２５は、入浴者２０１の身長に合わせて、高さ及び取付け角度を可変可能に構成されている。フットレスト部２６は、浴槽１０を起立させた状態で床面１５１との間に段差が付き難いように薄く形成されている。本実施形態では、フットレスト部２６の一部が側壁１１から下方に突出しているが、フットレスト部の底面２７と側壁の底部１３とが面一となるように形成してもよい。フットレスト部２６の設置要領は、浴槽１０の強度、製作の容易性、床面１５１との間の段差の付き難さを考慮し適宜決定すればよい。
【００２６】
浴槽１０内にはアームレスト、手すりを設けるのが好ましい。
【００２７】
浴槽１０は、繊維強化プラスチック（ＦＲＰ）を用い、水漏れしないように椅子２０、両側壁１１及び背面の壁１４が一体的に形成されている。ＦＲＰは、軽量で強度があり製作容易な材料であり、浴槽１０の材料として好ましい。浴槽１０の軽量化は、基台３０及び揺動装置５０の小型化に繋がり、結果、入浴装置１を小型化、軽量化することができる。
【００２８】
浴槽１０の材質は、ＦＲＰに限定されるものでなく、また水漏れしない構造であれば椅子２０、あるいは椅子２０と両側壁１１及び背面の壁１４とを一体的に形成しなくてもよい。この場合であっても部品数が少なく構造が簡単で安価に製作できるものが好ましい。また入浴装置１は、浴槽１０の前側を持ち上げキャスター７１を利用して移動させるため軽量であることは重要である。
【００２９】
浴槽１０は、椅子２０及び／又は両側壁１１、背面の壁１４を複層構造としてもよい。複層構造は、同種又は異種の材料を重ね合せて形成しても、内側に位置する部材と外側に位置する部材との間に空間を設け、その間に両部材を繋ぎ補強するリブを設けた構造であってもよい。また補強材及び断熱材を適宜使用し、浴槽１０を軽量化し、また断熱効率を高めるのがよい。
【００３０】
浴槽１０には、張り込んだ湯を抜くための排水口１７が着座部２１の後部、連結部２９の下部に設けられ、排水口１７には排水ホース１８が接続する。排水口１７には排水栓（図示省略）が取付けられる。排水口１７に排水栓を設ける代わりに、排水ホース１８の出口部に排水弁を設けてもよい。
【００３１】
椅子２０の裏面にはヘッドレスト部２５を除き、椅子２０を加温するための加温装置として電気ヒーター４５が取付けられている。電気ヒーター４５は、冬場などに入浴者２０１が椅子２０に着座した際に冷たさを感じないように椅子２０を加温する。電気ヒーター４５には、ヒーターと温度調節器とを組合せてなるもの、自己温度制御性ヒーターなどを使用することができ、防水性のヒーターが好ましい。
【００３２】
電気ヒーター４５の取付け要領は特に限定されるものではなく、冬場などに入浴者２０１が椅子２０に着座した際に冷たさを感じないように椅子２０を加温できればよく、椅子２０の各部毎に電気ヒーターを設けても、椅子全体を１つの電気ヒーターでカバーしてもよい。但し、局所的に温度の高い場所、低い場所ができないようにするのがよい。
【００３３】
電気ヒーター４５は、椅子２０の裏面に直接、あるいは椅子２０の裏面に電気ヒーター４５が嵌り込む凹部を設け、そこに取付けてもよい。また椅子２０を構成する部材に電気ヒーター４５が入り込む穴（空間部）を設け、あるいは椅子２０が内側に位置する部材と外側に位置する部材との間に空間部を有する部材の場合、穴又は空間部に電気ヒーター４５を設置してもよい。
【００３４】
椅子２０の裏面に直接、あるいは椅子２０の裏面に凹部を設け、そこに電気ヒーター４５を取付けるような場合には、電気ヒーター４５を取付けた箇所又は椅子２０の裏面全体に断熱材４６を取付け、さらにその上から防水性の部材４７で覆うのが好ましい（図３Ａ部参照）。側壁１１についても、入浴者２０１の身体が接する可能性がある場所等に加温装置を取付けてもよい。
【００３５】
基台３０は、床面１５１に設置され、揺動装置５０を介して浴槽１０と連結し、浴槽１０を支持する。基台３０は、長方形の板状体であり、平面視において椅子２０の着座部２１と背もたれ部２３とを合わせた大きさとほぼ同じであり、椅子２０の着座部２１及び背もたれ部２３の下方に配置される。
【００３６】
本実施形態では、基台３０が下板３１と下板３１の上に重ねて設置される上板３２とで構成されている。下板３１の幅Ｗａは、両側壁１１の外側の間隔Ｗｏと同じであり、上板３２の幅Ｗｂは、浴槽１１の両側壁１１の内側の間隔よりも小さく設定されている。また下板３１の厚さＴａは、フットレスト部２６のうち側壁１１から下方に突出している高さと同じである。これにより浴槽１０の起立時に浴槽１０がぐらつくことなく安定する。
【００３７】
本実施形態においては、フットレスト部２６の一部が側壁１１の底部１３から下方に突出しているため、浴槽１０のぐらつきを防止すべく基台３０に下板３１を設けているが、フットレスト部２６の一部が側壁の底部１３から下方に突出していない場合には、下板３１は特に必要ない。
【００３８】
基台３０は、前端部３３が浴槽１１と当接するように配置され、基台３０の前端部３３と浴槽１０との当接部には互いに係止する係止機構３６が設けられている。具体的には、下板３１の前端部には突起３７が、連結部２９の裏面には突起３７が嵌合する凹部１５が設けられている（図３Ｂ部参照）。
【００３９】
掛止機構３６は、次のように作用する。浴槽１０が起立状態では、基台３０に設けられた突起３７と浴槽１０に設けられた凹部１５が互いに係止する。揺動装置５０が動作し、駆動シリンダ５１のロッド５３が伸長すると、突起３７と凹部１５との係止が外れ、浴槽１０が水平状態となる。
【００４０】
入浴装置１を移動させる際には、駆動シリンダ５１は停止し、ロッド５３が後退し、突起３７と凹部１５との係止状態は維持された状態であるので、浴槽１０の前側を持ち上げると一緒に基台３０も持ち上がる（図７参照）。
【００４１】
係止機構３６は、上記形態に限定されるものではなく、浴槽１０の前部を持ち上げる際に基台３０も一緒に持ち上がるように係止し、駆動シリンダ５１のロッド５３が伸長すると、係止が外れるものであればよい。例えばボールプランジャーを使用してもよい。なお駆動シリンダ５１が、停止状態でロッド５３の伸長又は後退が完全にロックされるタイプのものであれば、係止機構３６を省略してもよい。
【００４２】
上板３２は、下板３１の上面に固定され、周縁を囲むように帯板で形成された枠４１が設けられている。この枠４１の後部側は、枠４１を上方に伸長する形で揺動装置５０の回動軸６１を連結するための連結座４２が形成されている。枠４１は、連結座４２の補強部として機能する。
【００４３】
基台３０の材質は、特に限定されるものではないが、入浴時には駆動装置５０を介して浴槽１０、入浴者２０１及び浴槽１０に張られた湯の重量が加わるためこれらに耐え得るものである必要がある。一方で本入浴装置１は、浴槽１０の前側を持ち上げキャスター７１を利用して移動させるため軽量でコンパクトであることが望ましく、基台３０を不必要に大きく、また堅固にすべきではない。
【００４４】
基台３０は、床面１５１に設置されるため底面３４に床面１５１に対する滑り止め加工を施すのが好ましい。これにより入浴装置１を安定的に保持することができ、入浴者２０１も安心して入浴できる。滑り止め加工は、基台３０の底面３４に直接加工を施しても、基台３０の底面３４に滑り止め部材を取付けて形成してもよい。また基台３０の底面３４に床面１５１の損傷を防止する手段を設けるのが好ましい。例えば基台３０の底面３４に、滑り止め及び床面１５１の保護としてゴム板を取り付けてもよい。
【００４５】
揺動装置５０は、浴槽１０を起立状態から水平状態、水平状態から起立状態にするための装置であり、駆動シリンダ５１と浴槽１０と基台３０とを回動自在に連結する回動軸６１とを有する。
【００４６】
駆動シリンダ５１は、電動式のシリンダであり、本体部５２が取付け座５６を介して基台の上面３５であって前端中央に固定され、ロッド５３の先端部５４が椅子の着座部２１の裏面２２であって後端部に取付け座５７を介して取付けられている。基台３０の前端は、椅子の着座部２１の前端部のほぼ真下に位置するためロッド５３は、傾斜した状態で取付けられる（図３参照）。
【００４７】
駆動シリンダ５１は、スイッチ５５の操作によりロッド５３を前進、後退させることが可能であり、ロッド５３が最も伸長した時点、ロッド５３が最も後退した時点で移動が停止し、ロッド５３がその位置に保持される機能を備える。駆動シリンダ５１は、ロッド５３が前進し最も伸長したとき浴槽１０が水平となるように、またロッド５３が最も後退し収縮したとき浴槽１０が起立状態となるようにストロークが設定されている。これにより動作不良により浴槽１０が不必要に回転することはない。
【００４８】
駆動シリンダ５１を駆動する電源は、コンセント付きケーブルを用い商用電源を使用してもよく、充電式のバッテリを使用してもよい。上記駆動シリンダ５１は、予め定めるストロークのシリンダを使用することで浴槽１０を所定の位置に移動させるが、リミットスイッチ等を用いた公知の方法で浴槽１０の位置決めを行ってもよい。また駆動シリンダ５１は電動式に限定されない。
【００４９】
回動軸６１は、浴槽１０と基台３０とを回動自在に連結する連結軸であり、基台３０に設けられた連結座４２の挿通孔に挿通され、両端部が浴槽１０の側壁１１の内側に取付けられた軸受６３で回動自在に支持される。軸受６３を側壁１１に固定する際には、必要に応じて取付座、補強材を使用する。
【００５０】
揺動装置５０を稼働させると、浴槽１０は回動軸６１を起点に回転する。このため側壁１１の下辺のうち回動軸６１の真下から後側は、浴槽１０が回動軸６１を起点に回転したとき床面１５１にぶつからないように斜めに切り取られている。なおこの部分は円弧状に切り取ってもよい。
【００５１】
以上からなる揺動装置５０を、浴槽１０を水平にすべく動作させると、ロッド５３が伸長し浴槽１０が回動軸６１を起点に回転し始める。この時点で浴槽１０と基台３０とを係止する係止機構３６が外れ、ロッド５３が最も伸長した時点で駆動シリンダ５１が停止し、浴槽１０が水平となる（図４参照）。駆動シリンダ５１が停止した状態では、ロッド５３は伸縮できないため浴槽１０の水平状態が維持される。
【００５２】
浴槽１０を水平状態から起立状態にするには、駆動シリンダ５１のロッド５３を最も後退させる。ロッド５３が最も後退した時点で駆動シリンダ５１が停止し、浴槽１０が起立状態となる（図２参照）。駆動シリンダ５１が停止した状態では、ロッド５３は伸縮できないため浴槽１０の起立状態が維持される。浴槽１０が起立状態となると、係止機構３６を介して浴槽１０と基台３０とが係止する。
【００５３】
本実施形態では、駆動シリンダ５１が基台の上面３５の前端中央に１個取付けられているが、上面３５の前端の左右に各々１個、計２個取付けてもよい。左右に駆動シリンダ５１を設置すれば、浴槽１０を正面に見て左右への振れをより確実に防止できる。
【００５４】
キャスター７１は、基台３０の後端に左右に１個取付けられてる。具体的には、基台３０の後端に取付け座７２を介して、キャスター７１の回転軸の中心が回動軸６１よりも後方に位置するように取付けられている。キャスター７１は、浴槽１０の起立状態及び水平状態で床面１５１から僅かに浮いており、入浴装置１を移動させるべく浴槽１０の前側を持ち上げると、キャスター７１が床面１５１に接し、荷車の要領で入浴装置１を移動させることができる。なお、キャスター７１は、浴槽１０を起立させた状態で、基台３０が床面１５１から浮き上がらない範囲で床面１５１に接していてもよい。
【００５５】
取っ手７５は、入浴装置１を移動させる際に浴槽１０の前側を持ち上げるためのものであり、両側壁１１の前端部に設けられている。本実施形態では取っ手７５が側壁１１の斜辺１２に直接取付けられているが、持ち易いように斜辺１２に連結棒等を取付けその先端に取っ手を設けてもよい。また取っ手に代えてハンドルを設けてもよい。
【００５６】
入浴装置１は、水平状態の浴槽１０を安定的にかつ確実に支持する手段としてストッパー８１、スタンド８５、９１を備える。
【００５７】
ストッパー８１は、浴槽１０を起立状態から水平状態にした際に床面１５１に接し、浴槽１１がさらに後方に回転することを防止する。また水平状態に置かれている浴槽１０が後方に回転することを防止する。
【００５８】
ストッパー８１は、先端部側が左右の側壁１１から後方に突出し、浴槽１０が起立状態では先端部８３が床面１５１に接触せず、浴槽１０が水平状態となったとき先端部８３が床面１５１に接するように左右の側壁１１にボルト止めされている。ストッパー８１は、入浴装置１を移動すべく浴槽１０の前側を持ち上げキャスター７１が床面１５１に接した状態でも床面１５１に接触しない位置に設けられている（図７参照）。
【００５９】
ストッパー８１の大きさは特に限定されるものではないが、ストッパー８１は、水平状態の浴槽１０を安定的にかつ確実に支持する手段であるから他に支障を与えない範囲で大きい方が好ましい。ストッパー８１には背面の壁１４が接続しており（図５参照）、変形に対する剛性が高くなっている。ストッパー８１は、浴槽１０と一体的に形成してもよい。床面１５１との接触部であるストッパーの先端部８３には、基台３０と同様に滑止め加工、床面１５１を傷付けないように保護する手段を設けるのがよい。
【００６０】
スタンド８５は、コ字状の金属製の棒材であり、浴槽１０を水平状態としたとき床面１５１に接し、水平状態の浴槽１０が後方に回転することを防止する。スタンド８５は、幅が両側壁１１の幅と略同一であり、上端部に内向きの屈曲部８６が設けられている。スタンド８５は、屈曲部８６が取付け具８８で覆うように浴槽１０の背面の壁１４に回動自在に取付けられている。
【００６１】
スタンド８５の高さ（長さ）は、スタンド８５を浴槽１０の背面の上部に取付け、浴槽１０を水平状態としたときスタンド８５が鉛直となり、そのとき床面１５１に接するように設定されている。スタンド８５の取付け位置は高い方が浴槽１０を安定的に支持することができる。
【００６２】
屈曲部８６にはストッパ（図示省略）が設けられており、浴槽１０を起立状態から水平状態としスタンド８５が鉛直状態になるとストッパが取付け具８８に接し、それ以上スタンド８５が浴槽１０の後方側に回動することを防止する。浴槽１０が起立状態では、スタンド８５は床面１５１に接触することはない。
【００６３】
スタンド８５の底部にはゴムキャップ８７が取付けられており、このゴムキャップ８７が床面１５１に対する滑り防止材、床面１５１の損傷を防ぐ保護材として機能する。ゴムキャップ８７の代わりに滑り防止材及び保護材として機能する他の部材を使用してもよい。
【００６４】
背面の壁１４にはスタンド８５を仮止め可能な保持具８９が取付けられており、浴槽１０が起立状態では、スタンド８５は保持具８９で保持されている。浴槽１０を起立状態から水平状態にするときにスタンド８５を保持具８９から外す。スタンド８５は、手で引っ張れば保持具８９から簡単に外れる。
【００６５】
スタンド９１は、左右の側壁１１にそれぞれ取付けられ浴槽１０を水平状態としたとき床面１５１に接し、水平状態の浴槽１０が起立状態となる方向に回転することを防止する。スタンド９１は、基端部に回動具９２を有し、回動具９２に棒体９３が連結されてなる。回動具９２が浴槽１０の側壁１１に固定され、棒体９３は回動具９２を起点に回動する。
【００６６】
スタンド９１は、浴槽１０が水平状態となったとき鉛直状態となり先端部が床面１５１に接するように設けられている。回動具９２にはストッパ（図示省略）が設けられており、浴槽１０を起立状態から水平状態としスタンド９１が鉛直状態になるとストッパの作用により、それ以上スタンド９１が浴槽１０の前方側に回動することが防止される。
【００６７】
棒体９３の先端部にはゴムキャップ９４が取付けられており、このゴムキャップ９４が床面１５１に対する滑り防止材、床面１５１の損傷を防ぐ保護材として機能する。ゴムキャップ９４の代わりに滑り防止材及び保護材として機能する他の部材を使用してもよい。
【００６８】
側壁１１にはスタンド９１を仮止め可能な保持具９５が取付けられており、浴槽１０が起立状態では、スタンド９１は保持具９５で保持されている。浴槽１０を起立状態から水平状態にするときにスタンド９１を保持具９５から外す。スタンド９１は、手で引っ張れば保持具９５から簡単に外れる。
【００６９】
スタンド８５は、上記形態に限定されるものでなく、浴槽１０を起立状態から水平状態としたとき床面１５１に接し、それ以上浴槽１０が後方側に回動することを防止し、水平状態の浴槽１０を支持できればよい。同様にスタンド９１は、浴槽１０を水平状態としたとき床面１５１に接し、水平状態の浴槽１０が起立状態となる方向に回転することを防止できればよい。
【００７０】
本実施形態の入浴装置１は、駆動シリンダ５１がロック機能を備え、さらにストッパー８１を備えるのでスタンド８５及び／又はスタンド９１を省略しても浴槽１０は安定的に支持されるが、駆動シリンダ５１の動作不良、故障等を考えればスタンド８５及び／又はスタンド９１を備えるのが好ましい。またスタンド８５及び／又はスタンド９１を設けることで浴槽１０の揺れを確実に防止し、入浴者２０１に安心感を与えることができる。
【００７１】
以上からなる入浴装置１を使用する際は、浴槽１０を起立状態とし入浴者２０１を椅子２０に着座させる。このとき座り易い位置にヘッドレスト部２５を動かし調整する。なお冬場等にあっては予め椅子２０を電気ヒーター４５で加温しておくことが望ましい。スタンド８５及びスタンド９１を保持具８９、９５から外し、駆動シリンダ５１を動作させ浴槽１０をゆっくりと水平状態とし、スタンド８５、９１を立てる。
【００７２】
その後、浴槽１０に湯を張り、入浴者２０１を入浴させる。入浴後は、排水栓（図示省略）を抜き排水し、駆動シリンダ５１を動作させ浴槽１０をゆっくりと起立状態に戻す。その後、スタンド８５及びスタンド９１を保持具８９、９５に係止する。入浴装置１の使用場所は浴室に限定されるものではなく、図８に示すような排水受皿１００等を使用すれば、浴室以外の場所で使用することができる。
【００７３】
排水受皿１００は、前板１０１がヒンジ（図示省略）を介して底板１０２に連結し、転倒させることができる。このため前板１０１を倒すことで入浴装置１を簡単に入れることができる。なお、前板１０１と底板１０２、前板１０１と側板１０３との接続部には、防水パッキン（図示省略）が装着され、水漏れを防いでいる。
【００７４】
入浴装置１を移動させる際は、浴槽１０を起立状態とし、取っ手７５を用いて浴槽１０の前側を持ち上げればキャスター７１が床面１５１に接し簡単に移動させることができる（図７参照）。浴槽１０の前側を持ち上げたとき基台３０が一緒に持ち上がること、ストッパー８１が床面１５１に接触しないことは前述の通りである。
【００７５】
図９は、本発明の第２実施形態の入浴装置２を前側上方から見た斜視図であり、移動椅子１２０が着座位置の図である。図１０及び図１１は、入浴装置２の構成を説明するために浴槽１１０の手前側の側壁１１１を取り除いて見た起立状態の側面図であり、前者は移動椅子１２０が着座位置の図、後者は移動椅子１２０が入浴位置の図である。図１２は、入浴装置２の水平状態の側面図である。図１から図８に示す第１実施形態の入浴装置１と同一の構成には同一の符号を付して説明を省略する。なお、各図は、入浴装置２の形態、構成を説明するために必要に応じて部品を省略している。
【００７６】
第１実施形態の入浴装置１では、図１に示されるように着座部２１の両側に側壁１１が位置するため、入浴者２０１を乗せた車椅子を入浴装置１に横付けしても入浴者２０１を横滑りさせ椅子２０に着座させることはできない。このため自力で立つことのできない身体障害者や老人等の場合、入浴装置１を利用することは簡単ではない。
【００７７】
第２実施形態の入浴装置２は、自力で立つことのできない身体障害者や老人等であっても簡単に入浴装置２を利用できるようにしたものであり、大略的には第１実施形態の入浴装置１にスライド式の椅子を追加してなるものである。浴槽１１０に固定された椅子２０とスライド式の椅子とを区別するため、以下、前者を固定椅子２０、後者を移動椅子１２０として説明する。本実施形態では固定椅子２０が第１椅子、移動椅子１２０が第２椅子となる。
【００７８】
移動椅子１２０は、浴槽１１０にスライド機構を介して進退可能に取付けられた椅子である。移動椅子１２０は、固定椅子２０と基本的に同じ構造、形状であり、着座部１２１、背もたれ部１２３、フットレスト部１２６及び連結部１２９を備え、移動椅子１２０を最も後退させたとき、固定椅子２０の上にほぼ隙間なく重なり合うように構成されている。移動椅子１２０を最も後退させた位置が入浴位置であり、移動椅子１２０を最も前方に引き出した位置が着座位置である。
【００７９】
移動椅子１２０の着座部１２１、フットレスト部１２６等には、この部分に水が溜まることを防止する水抜き孔（図示省略）が設けられている。これにより入浴後に、排水し、入浴装置２を起立位置とし、移動椅子１２０を着座位置まで引き出しても移動椅子１２０から水が漏れ出すことはない。本実施形態の移動椅子１２０にはヘッドレストが設けられていないが、移動椅子１２０にヘッドレストを設けてもよい。
【００８０】
移動椅子１２０は、着座位置及び入浴位置において移動椅子１２０を固定するための手段を設けることが好ましい。これにより安心してまた安全に着座したまま入浴することができる。固定手段は、特に限定されるものではないが、パッチン錠などの止め具を使用することができる。
【００８１】
また移動椅子１２０には、着座した入浴者２１０が倒れないようにするシートベルトを設けるのが好ましい。移動椅子１２０が入浴位置まで移動すれば、両側に側壁１１１があるため横方向に倒れることを防止できるが、着座位置では両側には何もないので自力で立つことのできない身体障害者や老人等にあっては、横に倒れる恐れがある。
【００８２】
浴槽１１０は、第１実施形態の浴槽１０に比較して前方が突出している。具体的には、側面視において両側壁１１１の前方を伸長させる形で前方に矩形部１１５が設けられており、側壁１１１の斜辺１２の先端が矩形部１１５の末端に繋がる。矩形部１１５の高さは、移動椅子１２０の着座部１２１の裏面１２２の高さと同一であり、矩形部１１５の長さは、移動椅子１２０の着座部１２１の長さと略同一である。矩形部１１５に合せて、固定椅子２０のフットレスト部２６も矩形部１１５の前端まで伸長されている。
【００８３】
浴槽１１０に設けられた矩形部１１５は、移動椅子１２０を支持する支持部１１５として機能する。本入浴装置２では、入浴者２０１を乗せた車椅子を入浴装置２に横付けし、入浴者２０１を横滑りさせる要領で移動椅子１２０に着座可能な位置（着座位置）まで移動椅子１２０を前方に引き出すことができる（図１０参照）。支持部１１５は、着座位置で入浴者２０１が着座した移動椅子１２０を支持するための部位である。
【００８４】
浴槽１１０の矩形部１１５には、入浴装置２を移動させる際に使用する取っ手７６が設けられている。取っ手７６は、矩形部１１５の前部に凹部を設け形成されている。取っ手７６は、凹部に代えて矩形部１１５を貫通させて形成してもよく、第１実施形態と同様の取っ手７５を設けてもよい。
【００８５】
スライド機構は、リニアガイド１３１であり、着座位置（図１０参照）と、固定椅子２０の上にほぼ隙間なく重なり合う位置（入浴位置）とに移動椅子１２０を移動可能に構成される。リニアガイド１３１は、両側壁１１１の内側に埋め込まれたレール１３２と、移動椅子１２０の着座部１２１の底部の前後左右に固定されたキャリッジ１３３とで構成され、キャリッジ１３３がレール１３２に摺動自在に嵌り込む。レール１３２は、移動椅子１２０を着座位置及び入浴位置に移動させるべく、両側壁１１１の矩形部１１５の先端から固定椅子２０の背もたれ部２３まで設けられている。
【００８６】
リニアガイド１３１は、水、湯に接触するため本実施形態では水、湯に接触しても油など異物が溶出せず、水、湯に耐性を有するものを使用する。スライド機構は、着座位置で入浴者２０１を着座可能に支持し、入浴者２０１を着座させた状態で入浴位置まで安定して移動させることが可能であれば構造、形態は特に問われない。リニアガイド１３１に代えて、スライドレール、伸縮式のスライドレールなど公知のスライド手段を使用することができる。但し、スライド機構は、水、湯に接触するため水、湯に接触しても油など異物が溶出せず、水、湯に耐性を有するものを使用する。
【００８７】
移動椅子１２０は、入浴位置において固定椅子２０に重なり合うように固定椅子２０に比較して部材の厚さ分だけ高く設置されている。このため着座位置において移動椅子１２０のフットレスト部１２６は、床面１５１から固定椅子２０のフットレスト部２６の厚さ分だけ浮き上がっている。
【００８８】
以上からなる入浴装置２を使用する際は、浴槽１１０を起立状態とし、移動椅子１２０を着座位置まで引き出す。固定手段を備える場合には着座位置で移動椅子１２０を固定する。着座位置で入浴者２０１を移動椅子１２０に着座させ、シートベルトが設けられている場合には、必要に応じてシートベルトを使用し、入浴者２０１が着座した移動椅子１２０を入浴位置まで移動させる。このとき移動椅子１２０には、フットレスト部１２６が設けられているので移動椅子１２０に着座した入浴者２０１はそのままの姿勢でよい。固定手段を備える場合には、入浴者２０１が着座した移動椅子１２０を入浴位置で固定する。
【００８９】
以降の操作は、第１実施形態の入浴装置１の使用方法と特に変わりない。浴槽１１０を水平状態とし入浴者２０１を入浴させ、その後排水し、浴槽１１０をゆっくりと起立状態に戻した後、移動椅子１２０を着座位置まで引き出せばよい。移動椅子１２０には、水抜き孔が設けられているので水は溜まっていない。また電気ヒーター４５による固定椅子２０の加温、スタンド８５及びスタンド９１の使用要領、排水受皿１００の使用要領も第１実施形態の入浴装置１の使用方法と特に変わりない。
【００９０】
第１実施形態の入浴装置１を用いて説明したように本発明の入浴装置は、椅子の両側面に板状体を設ける形で形成された浴槽と、床面に設置され浴槽を支持する基台と、浴槽と基台とに連結し浴槽を起立状態または水平状態にする揺動装置と、移動させるためのキャスター及び取っ手とで構成することができる。このように本発明の入浴装置は、部品数が少なく構造が簡単であるためコンパクト化が容易であり、容易また安価に製作することができる。
【００９１】
また本発明の入浴装置は、揺動する浴槽を床面に設置される基台で支持するので浴槽を安定的に支持できる。また本発明の入浴装置は、浴槽を水平状態にしたとき床面に接し浴槽を支持するストッパー、さらには浴槽の後部及び／又は前部にスタンドを設けることにより浴槽をより安定的に支持できる。
【００９２】
また本発明の入浴装置は、基台の後部に取付けられたキャスターと、浴槽の前側端部に設けられた浴槽の前側を持ち上げるための取っ手とにより、入浴装置を荷車の要領で簡単に移動させることができるので使い勝手がよい。
【００９３】
また本発明の入浴装置は、浴槽を起立状態としたときフットレスト部の裏面が床面に接するので、床面との段差が殆どなく躓き難い。また入浴者が着座する椅子には、椅子を加温するヒータを装着可能であり、入浴者が入浴し易い装置といえる。
【００９４】
さらに本発明の入浴装置は、第２実施形態の入浴装置２を用いて説明したように、第１実施形態の入浴装置１に、浴槽に対して出し入れ可能な移動式の椅子を設けることで入浴が簡単となる。第１実施形態の入浴装置１及び第２実施形態の入浴装置２に示すように、浴槽に対して出し入れ可能な移動式の椅子を備える入浴装置は、移動式の椅子を備えない入浴装置と構成の大部分が共通する。よって移動式の椅子をオプション仕様とすれば製造が容易となる。
【００９５】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００９６】
１、２  入浴装置
１０、１１０  浴槽
１１、１１１  側壁
１２  斜辺
２０、１２０  椅子
２１、１２１  着座部
２３、１２３  背もたれ部
２５  ヘッドレスト部
２６、１２６  フットレスト部
２７  フットレスト部の底面
３０  基台
４５  電気ヒーター
５０  揺動装置
５１  駆動シリンダ
６１  回動軸
７１  キャスター
７５、７６  取っ手
８１  ストッパー
８５  スタンド
９１  スタンド
１３１  リニアガイド
１５１  床面
２０１  入浴者
【図１】
2019051303.tif 000003
【図２】
2019051303.tif 000004
【図３】
2019051303.tif 000005
【図４】
2019051303.tif 000006
【図５】
2019051303.tif 000007
【図６】
2019051303.tif 000008
【図７】
2019051303.tif 000009
【図８】
2019051303.tif 000010
【図９】
2019051303.tif 000011
【図１０】
2019051303.tif 000012
【図１１】
2019051303.tif 000013
【図１２】
2019051303.tif 000014